(57)【要約】【課題】遊離脂肪酸等が種々の割合で含まれる酸価の異なる種々の油脂原料から出来る限り高効率にバイオディーゼル燃料を得ること、また、その他の副生成物の有効利用ができ、また環境汚染などを起こすことのないシステムとすることのできるバイオディーゼル燃料の製造方法を提案。【解決手段】バイオディーゼル燃料を製造する製造方法において、油脂原料が遊離脂肪酸を設定量以上含むか否かを選別し、該原料の遊離脂肪酸が設定量未満の油脂原料であれば、アルカリ触媒法により低級アルコールでエステル交換反応させるエステル交換反応工程で処理し、該原料が遊離脂肪酸を設定量以上含む場合に、該遊離脂肪酸のエステル化するエステル化反応工程で処理することを特徴とする。【選択図】  図１
2005350632.tif 000002
【特許請求の範囲】
【請求項１】
油脂原料からバイオディーゼル燃料を製造する製造方法において、
油脂原料が遊離脂肪酸を設定量以上含むか否かを選別し、該原料の遊離脂肪酸が設定量未満の油脂原料であれば、アルカリ触媒法により低級アルコールでエステル交換反応させるエステル交換反応工程で処理し、該原料が遊離脂肪酸を設定量以上含む場合に、該遊離脂肪酸をエステル化するエステル化反応工程で処理し、エステル交換反応工程及び／又はエステル化反応工程で得られる脂肪酸アルキルエステルを精製する燃料精製工程を含み、該エステル交換反応工程で生じた遊離脂肪酸を油脂原料として再使用すると共に、該エステル化反応工程で生じるグリセリド未反応物を油脂原料として再使用することを特徴とするバイオディーゼル燃料の製造方法。
【請求項２】
請求項１記載のバイオディーゼル燃料の製造方法において、
上記油脂原料が含む遊離脂肪酸の設定量が５０質量％であるバイオディーゼル燃料の製造方法。
【請求項３】
請求項１又は２記載のバイオディーゼル燃料の製造方法において、
上記油脂原料から予め固形物及び／又は水分を比重分離によって除去する除去工程を含むバイオディーゼル燃料の製造方法。
【請求項４】
上記のエステル交換反応工程は、その前段で該油脂原料から遊離脂肪酸を留去分離する工程を含み、該留去工程は、少なくとも油脂原料を１０ｍｍＨｇ以下の減圧下で、温度が５０℃から１５０℃以下の条件下で遊離脂肪酸を留去する工程であることを特徴とする請求項１〜３の何れかに記載のバイオディーゼル燃料の製造方法。
【請求項５】
上記の留去工程における遊離脂肪酸を油脂原料に再使用することを特徴とする請求項４記載のバイオディーゼル燃料の製造方法。
【請求項６】
上記エステル交換反応工程は、上記アルカリ触媒法によってエステル交換反応された反応混合液に所定量の水で調節した希硫酸を加えて反応混合液を中和し、中和した反応混合液から硫酸塩結晶を濾別して、該濾液を蒸留して高比重のグリセリン成分を分留する蒸留工程を含むことを特徴とする請求項１〜５の何れかに記載のバイオディーゼル燃料の製造方法。
【請求項７】
上記中和時に使用した水量が、生成する硫酸塩の量に対して、１〜２０モル当量の範囲である請求項６記載のバイオディーゼル燃料の製造方法。
【請求項８】
上記中和時に反応混合溶液の粘度を調製するために低級アルコールを反応混合溶液の全体量の５０質量部％以下の範囲で加える請求項６又は７記載のバイオディーゼル燃料の製造方法。
【請求項９】
上記低級アルコールがメチルアルコールであることを特徴とする請求項８記載のバイオディーゼル燃料の製造方法。
【請求項１０】
上記アルカリ触媒が水酸化カリウムであることを特徴とする請求項６〜９の何れかに記載のバイオディーゼル燃料の製造方法。
【請求項１１】
請求項１〜１０の何れかに記載のバイオディーゼル燃料の製造方法において、
上記エステル化反応工程は、遊離脂肪酸を主成分とする油脂原料にアルコール成分を混合し、加圧及び加熱して該アルコールの超臨界状態で且つ水が液体である亜臨界水状態としてエステル化反応を行い、次いで該アルコールの超臨界状態で、且つ水がドライスチーム状態となる条件で反応させることを特徴とするバイオディーゼル燃料の製造方法。
【請求項１２】
上記エステル化反応工程は、上記ドライスチーム状態となる条件で反応を行た後に、該得られる反応液を蒸留して該反応液からアルコールを分留する蒸留工程を含む請求項１１記載のディバイオディーゼル燃料の製造方法。
【請求項１３】
上記エステル化反応工程で得られた脂肪酸アルキルエステルの酸価が０．５未満となる請求項１０又は１２記載のバイオディーゼル燃料の製造方法。
【請求項１４】
上記燃料精製工程では、上記のエステル交換反応工程及び／又はエステル化反応工程で得られた蒸留液を遠心分離して比重分離操作によって脂肪酸アルキルエステルを精製することを特徴とする請求項１に記載のバイオディーゼル燃料の製造方法。
【請求項１５】
上記燃料精製工程では、上記エステル交換反応工程からの蒸留液から精製グリセリンを高比重分離層から取り出すことを特徴とする請求項１４記載のバイオディーゼル燃料の製造方法。
【請求項１６】
上記エステル化反応工程からの蒸留液から得られる未反応物のグリセリド残渣を油脂原料で再使用することを特徴とする請求項１２記載のバイオディーゼル燃料の製造方法。
【請求項１７】
請求項１〜１６の何れかに記載のバイオディーゼル燃料の製造方法において、上記油脂原料を上記各工程でフローさせて連続式に行うことを特徴とするバイオディーゼル燃料の製造方法。
【発明の詳細な説明】
【技術分野】
【０００１】
本発明は、一般的な油脂類だけでなく、酸性油脂類及び劣化油脂類等の油脂原料を使用したバイオディーゼル燃料の製造方法に関するものであり、より詳細には、菜種油、ごま油、大豆油、トウモロコシ油、向日葵油、パーム油、パーム核油、椰子油、コーン油および紅花油等の植物性油脂類や未精製油、牛油、豚油、魚油等の動物性油脂類、またそれらにおける酸価の高い不良油、それらの廃油、イエログリース等の多種多様の油脂原料を使用したバイオディーゼル燃料の製造方法に関するものである。
【背景技術】
【０００２】
一般に、バイオディーゼル燃料は植物性油脂類や動物性油脂類をメチルエステル化させたものを含む燃料であり、硫黄分等をほとんど含まないことから黒煙などの有害排気ガスの排出がすくない。また植物由来であることから、京都議定書に示された規定上、炭酸ガスの排出がゼロカウントである。このようなことから、環境負荷の少ない軽油代替燃料として注目され、欧米では既に規格、法制度も整備され、大豆や菜種油から年間２５０万トン以上が生産され使用されている。
このような状況下、その供給量の確保という側面から、あらゆる脂肪酸誘導体、即ち、酸価状態の低い油脂から高い油脂に至る全ての油脂原料を効率よく使用することのできる技術が望まれている。
【０００３】
ところで、油脂類のエステルの主成分はモノグリセリド、ジグリセリド、トリグリセリド等であるが、これらをアルキルアルコールとエステル交換反応させることは広く知られている。また油脂類に含まれる遊離脂肪酸とアルキルアルコールとをエステル化反応することも種々知られている（例えば、非特許文献１を参照）。
エステル交換反応及びエステル化反応を利用して、油脂類からバイオディーゼル燃料油を製造する技術についても様々な検討がされてきた（例えば、特許文献１、２、３、及び４を参照）。これらの方法においては、上記エステル交換、又はエステル化の効率を高め、不純物をなるべく残存しないようにすることの工夫が試みられている。
【０００４】
しかしながら、エステル交換反応において遊離脂肪酸が多く含まれていると、これらがまず触媒であるアルカリ金属と反応し、アルカリ石鹸を生成してしまう。このような鹸化は反応収率を低下させ、更に精製においてもエマルジョンの発生の原因となる。従って、アルカリ触媒下でのエステル交換反応による脂肪酸アルキルエステル燃料の製造においては、原料油中の遊離脂肪酸量を制限する必要がある。
【０００５】
また、遊離脂肪酸のエステル化反応は平衡反応であることから、一方の原料であるアルキルアルコールを過剰に用いること、また副反応物として生成する水を除去することによって平衡を生成系にずらして収率を上げることが考えられている。更に反応速度を速めるために触媒が使用される。脂肪酸のエステル化反応における工業化プロセスでは通常、酸性触媒が多用され、例えば、硫酸や燐酸等は、非芳香族カルボン酸類のエステル化触媒とされている。しかしながら、このような触媒の使用では、反応溶液中に触媒が均一に溶解した状態で存在するため、生成液からの触媒の分離、回収が困難であるという問題がある。
このような問題を解決するため、従来から固体酸触媒もよく使用されている。固体酸触媒としてはスルホン酸系イオン交換樹脂やヘテロポリ酸をシリカゲルや活性炭に担持したものがある。
【０００６】
遊離脂肪酸を含む油脂類を原料油とする場合のバイオディーゼル燃料化法としては、先ず上記固体酸触媒によってエステル化し、その後アルカリ触媒によってエステル交換反応を行う方法が考えられる。しかしながら、反応が全く異なる性質の２触媒系を使用するために複雑となること、脂肪酸量によって第１反応を常時コントロールする必要があること等の点から操作性に欠ける。更に、油脂原料の遊離脂肪酸量が３０質量％以上であれば、複雑なプロセスプラントを必要とし、基本的な大型投資をすればある程度採算が図れるが、１０〜３０質量％の範囲であれば、このような投資は返って過剰投資になる。
このため、遊離脂肪酸量が１０〜３０質量％の範囲にあるような原料油の場合には、遊離脂肪酸を不純物として除去し、油脂原料を脂肪酸グリセリン誘導体とした後にアルカリ触媒法を使用してエステル交換反応を実施して得ることが好ましいとされる。
遊離脂肪酸を不純物として除去する場合の方法としては、通常、弱アルカリ水溶液による洗浄方法が挙げられる。しかし、このような方法ではアルカリ廃液が生じるため、これの処理にコストがかさむという不具合がある。更に洗浄後の原料中の水分や石鹸分をエステル交換反応に先立って除去する工程が必要となり二度手間となる。
【０００７】
近年これらの課題を解決する目的で、酵素を利用した生化学的プロセスによるメチルエステル化及び超臨界メタノールを利用したメチルエステル化が報告されている（例えば、特許文献５を参照。）。生化学プロセスでは主にリパーゼを固定化した酵素触媒が用いられる。この反応系ではエステル化反応とエステル交換反応が同時に進行する。しかし、酵素がアルコールにより失活するため、多段階に分けてアルコール添加を行う必要があり、また変換率を９８％以上とするには２４時間以上の反応時間を要したり、反応後の生成物中のモノグリセリドやジグリセリドの量が１％以上とバイオディーゼル燃料の規格には適合しない。また、酵素は１００サイクル連続使用可能としているが、サイクル毎に大きく変換効率が変化しており、工業生産法としては課題が多い。
【０００８】
また、超臨界プロセスにおいては、同様にエステル交換反応とエステル化反応が進行するとしているが、エステル化反応は３００℃以下でも１０分程度で進行するがエステル交換反応は６０分以上必要であり、１０分間以下の時間で進行させるには３５０℃程度が必要である。従ってグリセリドと遊離脂肪酸の混合物を、実用的な反応温度である３００℃１０〜１５分程度超臨界反応工程に供した場合、その変換率を制御することが困難であり、殆ど遊離脂肪酸のみがエステル化されグリセリドのエステル交換反応は起こらない。またそのエステル化も生じる水のため平衡状態となり変換率はせいぜいで９８％程度ある。
【０００９】
このようなことから前もってグリセリドを加水分解し油脂原料の全てを遊離脂肪酸としてから反応させることが検討されている。しかし、グリセリン共存下で超臨界反応を行うと反応が極めて複雑となり、モノグリセリド、ジグリセリドなどが副生する。変換率も極めて低くなる。また、これを防止するためにグリセリンを除去しようすると、そのままでは、極性分離及び蒸留分離などにより極めて困難となり、水による洗浄しか方法はなく、排水の環境問題が生じる。
【００１０】
更に、遊離脂肪酸を除去した原料油等をアルカリ触媒法等のエステル交換法を使用して低級アルコール等の脂肪酸エステル等をバイオディーゼル燃料として生成する場合、その生成だけでなく、グリセリン等が副生成物として生成する。グリセリンはきわめて有用な化学物質であるため、グリセリンを高純度で得ることができれば有効利用が可能であり、バイオディーゼル燃料の製造上、総製造コストの低減にもつながる。しかしながら、上記従来の製造方法にあって、グリセリンの処理に関しては単に中和してボイラー燃料とするか一部は蒸留するのみである。このため、上記の方法では未だ効率的に純度の高いグリセリンを得ることを見出してはいない。
【非特許文献１】「有機ハンドブック」技報堂出版、１９８８、ｐ１４０７〜ｐ１４０９
【特許文献１】特開２００２−１６７３５６号公報
【特許文献２】特開２００２−２９４２７７号公報
【特許文献３】特開２０００−４４９８４号公報
【特許文献４】特開２０００−１０９８８３号公報
【特許文献５】特開２０００−１４３５８６号公報
【発明の開示】
【発明が解決しようとする課題】
【００１１】
従って、本発明の課題は、遊離脂肪酸等が種々の割合で含まれる酸価の異なる種々の油脂原料から出来る限り高効率にバイオディーゼル燃料を得ること、また、その他の副生成物の有効利用ができ、また環境汚染などを起こすことのないシステムとすることのできるバイオディーゼル燃料の製造方法を提案することにある。
【課題を解決するための手段】
【００１２】
本発明者等は、鋭意研究した結果、油脂原料中の遊離脂肪酸を調べて、エステル交換反応工程に供するか、エステル化反応工程に供するかを選択できるようにしたことにより、また、各工程で生じた遊離脂肪酸、未反応グリセリド等を油脂原料で再使用してそれぞれ別の工程に供することにより、種々の油脂原料から高効率にバイオディーゼル燃料を得ることを見出したものである。
そして、エステル交換反応工程を選択した場合には、先ず、遊離脂肪酸が存在するとき、油脂原料から必要により予め遊離脂肪酸及び水を分離したこと、即ち、油脂原料中の遊離脂肪酸、又はその加水分解などの不良により生じる遊離脂肪酸類の炭素数が殆ど６〜２２の範囲にあることから、これらの遊離脂肪酸類が１０ｍｍＨｇ、特に１ｍｍＨｇ以下の減圧下で、温度が５０℃から１５０℃以下の範囲において完全に気化するか或いは適度な蒸気圧を有していることに着目して容易に分離したこと、更に、最初から遊離脂肪酸の含有が少ない油脂原料、又は上記遊離脂肪酸が分離された油脂原料のエステル交換反応には、アルカリ触媒法によって行う工程を踏むことが好ましいことを見出したものである。
【００１３】
また、油脂原料中の遊離脂肪酸が極めて多い場合、又は上記分離した遊離脂肪酸を回収して再び油脂原料と混ぜて遊離脂肪酸を高濃度にした油脂原料をエステル化反応工程に供すること、及びエステル化反応工程においては、水を除いた無触媒の所定の超臨界反応で行うことが好ましいことを見出したものである。
【００１４】
そして、これらの工程を組み合わせることにより、性質の異なるあらゆる油脂原料から高効率にバイオディーゼル燃料を得ると共に、その他の副生成物の有効利用ができ、また環境汚染などを起こすことのないバイオディーゼル燃料の製造方法がシステム化できることを見出し、本発明に至ってものである。
【００１５】
即ち、本発明は、以下の（１）〜（１７）の構成或いは構造を有することにより、上記課題を解決したものである。
（１）油脂原料からバイオディーゼル燃料を製造する製造方法において、油脂原料が遊離脂肪酸を設定量以上含むか否かを選別し、該原料の遊離脂肪酸が設定量未満の油脂原料であれば、アルカリ触媒法により低級アルコールでエステル交換反応させるエステル交換反応工程で処理し、該原料が遊離脂肪酸を設定量以上含む場合に、該遊離脂肪酸をエステル化するエステル化反応工程で処理し、エステル交換反応工程及び／又はエステル化反応工程で得られる脂肪酸アルキルエステルを精製する燃料精製工程を含み、該エステル交換反応工程で生じた遊離脂肪酸を油脂原料として再使用すると共に、該エステル化反応工程で生じるグリセリド未反応物を油脂原料として再使用することを特徴とするバイオディーゼル燃料の製造方法。
【００１６】
（２）上記（１）記載のバイオディーゼル燃料の製造方法において、上記油脂原料が含む遊離脂肪酸の設定量が５０質量％であるバイオディーゼル燃料の製造方法。
（３）上記（１）又は（２）記載のバイオディーゼル燃料の製造方法において、上記油脂原料から予め固形物及び／又は水分を比重分離によって除去する除去工程を含むバイオディーゼル燃料の製造方法。
（４）上記のエステル交換反応工程は、その前段で該油脂原料から遊離脂肪酸を留去分離する工程を含み、該留去工程は、少なくとも油脂原料を１０ｍｍＨｇ以下の減圧下で、温度が５０℃から１５０℃以下の条件下で遊離脂肪酸を留去する工程であることを特徴とする上記（１）〜（３）の何れかに記載のバイオディーゼル燃料の製造方法。
（５）上記の留去工程における遊離脂肪酸を油脂原料に再使用することを特徴とする上記（４）記載のバイオディーゼル燃料の製造方法。
（６）上記エステル交換反応工程は、上記アルカリ触媒法によってエステル交換反応された反応混合液に所定量の水で調節した希硫酸を加えて反応混合液を中和し、中和した反応混合液から硫酸塩結晶を濾別して、該濾液を蒸留して高比重のグリセリン成分を分留する蒸留工程を含むことを特徴とする上記（１）〜（５）の何れかに記載のバイオディーゼル燃料の製造方法。
（７）上記中和時に使用した水量が、生成する硫酸塩の量に対して、１〜２０モル当量の範囲である上記（６）記載のバイオディーゼル燃料の製造方法。
（８）上記中和時に反応混合溶液の粘度を調製するために低級アルコールを反応混合溶液の全体量の５０質量部％以下の範囲で加える上記（６）又は（７）記載のバイオディーゼル燃料の製造方法。
（９）上記低級アルコールがメチルアルコールであることを特徴とする上記（８）記載のバイオディーゼル燃料の製造方法。
（１０）上記アルカリ触媒が水酸化カリウムであることを特徴とする上記（６）〜（９）の何れかに記載のバイオディーゼル燃料の製造方法。
【００１７】
（１１）上記（１）〜（１０）の何れかに記載のバイオディーゼル燃料の製造方法において、上記エステル化反応工程は、遊離脂肪酸を主成分とする油脂原料にアルコール成分を混合し、加圧及び加熱して該アルコールの超臨界状態で且つ水が液体である亜臨界水状態としてエステル化反応を行い、次いで該アルコールの超臨界状態で、且つ水がドライスチーム状態となる条件で反応させることを特徴とするバイオディーゼル燃料の製造方法。
（１２）上記エステル化反応工程は、上記ドライスチーム状態となる条件で反応を行た後に、該得られる反応液を蒸留して該反応液からアルコールを分留する蒸留工程を含む上記（１１）記載のディバイオディーゼル燃料の製造方法。
（１３）上記エステル化反応工程で得られた脂肪酸アルキルエステルの酸価が０．５未満となる上記（１０）又は（１２）記載のバイオディーゼル燃料の製造方法。
【００１８】
（１４）上記燃料精製工程では、上記のエステル交換反応工程及び／又はエステル化反応工程で得られた蒸留液を遠心分離して比重分離操作によって脂肪酸アルキルエステルを精製することを特徴とする上記（１）に記載のバイオディーゼル燃料の製造方法。
（１５）上記燃料精製工程では、上記エステル交換反応工程からの蒸留液から精製グリセリンを高比重分離層から取り出すことを特徴とする上記（１４）記載のバイオディーゼル燃料の製造方法。
（１６）上記エステル化反応工程からの未反応物のグリセリド残渣を油脂原料で再使用することを特徴とする上記（１２）記載のバイオディーゼル燃料の製造方法。
【００１９】
（１７）上記（１）〜（１６）の何れかに記載のバイオディーゼル燃料の製造方法において、上記油脂原料を上記各工程でフローさせて連続式に行うことを特徴とするバイオディーゼル燃料の製造方法。
【発明の効果】
【００２０】
本発明のバイオディーゼル燃料の製造方法によれば、エステル交換反応工程にあっては、効率的に油脂原料から遊離脂肪酸を分離する留去工程を前段で含み、分離後の油脂原料をアルカリ触媒法によりエステル交換反応できる。また、分離した遊離脂肪酸及び極めて遊離脂肪酸の含有量の高い油脂原料を所定の超臨界反応によりエステル化する工程を踏むことにより、あらゆる酸価状態にある油脂原料から高効率に脂肪酸アルキルエステル、即ち脂肪酸アルキルエステル中に大量の水、臭気物質、遊離脂肪酸、及びその他の不純物が残存することなく、製品としての品質を高く維持してなるバイオディーゼル燃料を得ることができ、またその製造工程システム自体は環境に優しいものとなる。
【発明を実施するための最良の形態】
【００２１】
以下、本発明の実施の形態を添付図面を参照して説明する。
図１は、本発明に係るバイオディーゼル燃料の製造方法の工程を示す概略図である。図１に示すように、貯留部１では油脂原料をそれぞれの酸価に応じて貯留できるようになっている。従って、油脂原料としては、植物及び動物等の油脂類、及び廃食油等を挙げることができ、具体的には、菜種油、ごま油、大豆油、トウモロコシ油、向日葵油、パーム油、パーム核油、椰子油、コーン油および紅花油等の植物油脂類、牛油、豚油、魚油等の動物油脂類、更にはその使用済みの廃食油等を原料とするものであり、本発明の製造方法にあっては、油脂原料中に遊離脂肪酸を広い濃度範囲で含む油脂類を原料とすることができる。
【００２２】
尚、貯留部１では必要により油導入口などにフィルタが装着され、油脂原料（例えば、固形分１質量％以上、水分５質量％以上、臭気物質等の不純物量２質量％以上で含む原料油等）が所定メッシュのフィルタを通過することにより、油脂原料に含まれる固形不純物が濾別される。そしてまた、油脂原料を４時間以上静置した後、原料に含まれる高比重不純物、その他のものや過剰水分などが比重差によって自然沈降させ、ドレン排出口等から排出してもよい。更に、必要により油脂原料は熱交換器等により９０〜１００℃の範囲で加熱し、遠心分離器等によって更に比重分離処理してもよい。このような処理により、油脂原料は固形不純物を０．０２質量％以下、水分を０．５質量％以下に抑えることができ、このような前処理工程は後段の工程での処理を容易にする。
【００２３】
図１に示すプロセス選択部２では、図示しないが油脂原料中の遊離脂肪酸の濃度を測定し、遊離脂肪酸濃度が設定量未満、例えば、５０質量％未満であれば、エステル交換反応工程３に油脂原料が流入される。一方、油脂原料中の遊離脂肪酸が所定量以上、例えば５０質量％以上ではエステル化反応工程４がプロセス選択部２で選別される。かかる油脂原料中の遊離脂肪酸量と選別との関係は、エステル交換反応工程３及びエステル化反応工程４の性能及び能力などによって適宜に設定することができる。
【００２４】
先ず、エステル交換反応工程３で処理することについて詳述する。
油脂原料にあっては貯蔵部での前段処理がされていなければ、かかるエステル交換反応工程で、予め上記の処理をすることが望ましい。
また、油脂原料中の遊離脂肪酸の濃度が極めて少ない場合、例えば、５質量％以下、好ましくは３質量％以下であれば、留去工程３ａを省略してエステル交換反応工程３を直接実行しても良い。また、それ以上の遊離脂肪酸を含む油脂原料の場合には、以下のように前段として留去工程３ａを実行することが望ましい。
【００２５】
エステル交換反応工程３においては、先ず、油脂原料が留去部３ａの多管式熱交換器等に通され、多管式熱交換器等を通過する間に後続の減圧処理で要求される温度まで加熱され、真空脱水・脱臭塔（図示せず。）内へ導入される。導入の際に原料は霧状に分散導入されるか、或いはスパイラル状に導入されるなどして気液相界面が広くなる方法が選択される。原料が真空脱水・脱臭塔内を通過する間に、更なる脱水、脱臭、及び脱酸が行われる。
即ち、１０ｍｍＨｇ以下、確実には１ｍｍＨｇ以下の減圧下で、温度が５０から１５０℃までの範囲に加熱された原料はその油中の水、臭気物質等が速やかに気化され系外へ放出されると共に、遊離脂肪酸類が系内で所定の蒸気圧となり、これもまた殆どが系外へ放出される。尚、この場合の処理時に水分等の低沸点物質が多く残存すると、好ましい減圧下に到達させにくいため、上述したように、貯蔵部１での前処理工程は本実施の系において有効に作用する。
このような処理によって、油脂原料は、例えば水分含有量０．０５質量％以下、臭気物質含有量０．０１質量％以下、及び遊離脂肪酸量が３質量％以下、好ましくは１質量％以下になる。ここで生じた遊離脂肪酸は貯留部１又はプロセス選択部２に戻されて再使用原料とされる。一方、原料は、熱交換器等によって反応温度まで冷却される。
【００２６】
図２に示すようにエステル交換反応工程３は、一般的な通常の方法であり、触媒溶液の調整部１１、反応混合部１２、及び減圧留去部１３とからなる。
エステル交換反応工程３の調整部１１では予め低級アルコールにアルカリ触媒を溶解させて調製した触媒含有アルコール溶液がバッチ調整され、触媒含有アルコール溶液は反応混合部１２で油脂原料と混合される。油脂原料はエステル交換され、その反応混合液は減圧留去部１３で過剰のアルコールが減圧留去される。過剰アルコールが除かれた反応混合液は液−液分離部１４で軽液と重液に比重分離され、その軽液が抽出される。
軽液は後段の燃料精製部５で吸着剤と混合或いは通過接触させられ、更にフィルター及び／又は比重分離操作によって処理されて、バイオディーゼル燃料となる。
【００２７】
更に、エステル交換反応部３の別の態様としては図３に示すように、触媒溶液の調整部１１、反応混合部１２、中和部１５、及び蒸留部１６とからなる中和工程を含むことが好ましい。ここで、調整部１１及び反応混合部１２での油脂原料は図２に示す態様と同様な処理がなされる。
反応混合部１２からのエステル交換反応された反応混合液は中和部１５において所定量の水で調節した希硫酸が加えられて中和し、中和した反応混合液には硫酸塩結晶が析出し、これが濾別される。濾液は蒸留部１６で蒸留される。蒸留された反応混合液は、燃料精製部５で比重分離操作により高比重の精製グリセリン成分９を分離することができる。このため、図３に示すような中和部１５、蒸留部１６、及び燃料精製部５から構成して、副生成物である図１に示す様に精製グリセリン９の実施的な工業利用可能なプロセスとすることが好ましい。
【００２８】
図２及び図３に示す触媒溶液の調製部１１は、例えば、触媒導入シュート、アルコール貯蔵タンク、アルコール計量ポンプ、冷却水ジャケットが付設された溶解撹拌槽からなっている。触媒としてのアルカリ塩としては、水酸化ナトリウム、水酸化カリウム等のアルカリ金属塩の水酸化物等を挙げることができが、特に好ましくは水酸化カリウムである。
また、アルコールとしては低級アルコールであり、メチルアルコール、エチルアルコール、プロピルアルコール、及びその他の低級アルコールが挙げられるが、反応面及びコスト面からメチルアルコールが望ましい。
【００２９】
調整部１１での触媒含有アルコール溶液の調製は、バッチ式操作によって行われ、計量して溶解撹拌槽内へアルコールが送り込まれ、次に、溶解撹拌槽内に導入されたアルコールを撹拌しながら、上記触媒をアルコールに対して所定の割合で溶解撹拌槽内へ投入され、触媒がアルコールに完全に溶解するまで撹拌される。
アルコールに触媒が溶解する時に発生する溶解熱は、冷却水ジャケット等で冷却することにより除去される。溶解撹拌槽内への触媒の供給速度は、例えばアルコールがメチルアルコールであるときは、触媒含有アルコール溶液の温度が６４℃を超えないように制御される。触媒供給速度が速過ぎると、発生した溶解熱を除去するのが間に合わなくなる。そして、溶液の温度がアルコールの沸点温度以上になると、アルコールの蒸発が激しくなる。また、溶液の局部的過熱による突沸現象が起こることになって危険である。
溶解撹拌槽への所定量の触媒の投入が終わって、触媒がアルコールに完全に溶解した後に、溶解撹拌槽から所定の触媒含有アルコール溶液タンク等に移される。一方、溶解撹拌槽では、上記した手順と同様の手順によりアルコールと触媒とを導入し、同様の溶解撹拌操作を繰り返す。
【００３０】
反応混合部１２には、上記触媒含有アルコール溶液タンクから所定量の触媒アルコール溶液が導入される。一方、上述の処理した油脂原料を反応混合処理部（攪拌機能を有した反応塔など）の底部から導入する。これにより上部へ流動する油脂原料と触媒含有アルコール溶液とを連続的に混合させる。
【００３１】
図２及び図３に示す実施形態の製造方法のプロセスについて更に詳しく説明する。
先ず、図２に示す減圧留去部１３は一般的に使用される通常の工程であり、かかる工程では、反応混合液から過剰のアルコールの除去がなされる。減圧留去においては、反応混合部１２での反応容器そのものを減圧して容器を減圧留去処理装置と反応混合処理装置とに兼用しても良く、また別容器において減圧処理をしても良い。アルコールの界面活性作用及び比重の関係からアルコールの除去により、グリセリンは生成したアルキルエステルとの分離が容易となり、アルキルエステルの収量を高める。
例えば、反応混合液中で過剰のアルコールが副生成したグリセリン量の３０質量％以上を占めると、アルキルエステルとグリセリンとの比重差による分離が困難となり、またアルコールが５質量％程度まで存在した場合でもグリセリン層へのアルキルエステルの溶解量が生成アルキルエステルの１０質量％にも及ぶ。
【００３２】
図２に示す燃料精製部５では、必要により、静置分離槽、或いは遠心分離器による強制分離を行う。また、各処理工程が連続式の場合には遠心分離を行うと良い。この処理によってアルキルエステル層とグリセリン層とを分離する。目的生成物であるアルキルエステル層は、更に吸着剤の充填されたカラムを通過させることによってアルカリ性不純物等を除去することが好ましい。充填剤としては一般に油脂類の処理に良く用いられている活性白土が好適である。このほかに脱水用充填剤としてシリカゲルなどを用いることも出来る。
その後、充填剤の微粉末を除去するために遠心分離器処理を行う。この際、微量に残存するグリセリンも除去できる。その後最終的にフィルター処理を必要により行う。
このようなバイオディーゼル燃料の製造方法にあっては、エステル転化率は９０％以上、好ましくは９５％以上である。また、その酸価は０．５以下である。
【００３３】
次に、図３に示す実施形態の製造方法のプロセスについて詳しく説明する。
図３に示す中和処理部１５では、反応混合処理部１２から反応混合液に送液ポンプ等により硫酸が投入される。硫酸は、反応終了後の反応混合液に投入したアルカリ塩、例えば水酸化カリウムに対して、５０〜５５モル％の範囲で投入されることが好ましい。
上記範囲を下回る場合は、反応混合液は十分に中和されない一方、上記範囲を上回る場合には、反応混合液の反応状態が不安定となり目的物質の収率が低下する。
【００３４】
上記硫酸を投入する際、生成する硫酸塩に対して、１〜２０モル当量の範囲、特に好ましくは２〜１０モル当量の範囲の水で硫酸を希釈させることが好ましく、かかる希硫酸は反応混合液を攪拌させながら室温から６５℃の環境下で滴下することが好ましい。
この際、反応混合液の粘度が高い場合には、その粘度調製剤として上述で添加したと同様な低級アルコール、例えば、メチルアルコール等を適宜量加えることが望ましい。これらの粘度調製剤は、反応混合溶液に対して５０質量％以下の範囲で加えることが好ましい。
従って、上述の範囲の希硫酸の投入により、硫酸の中和塩、特に、アルカリ塩が水酸化カリウムであれば、硫酸塩・水和物として容易に析出して濾別されるので好ましい。
【００３５】
中和された反応混合液はグラスフィルターなどに通流させられ、上述の硫酸塩・水和物が濾別される。濾別された反応混合液は蒸留部１６へと導入される。反応混合液は減圧蒸留され、例えば０．１〜１００ｍｍＨｇの範囲、及び温度５０〜２５０℃の環境下で減圧蒸留することが好ましい。このように蒸留された反応混合液は、精製処理部６で必要により遠心分離器などにより比重分離され、アルキルエステル層（軽液層：目的反応物）とグリセリン層（重液層：副反応物）に分離される。
【００３６】
このようなバイオディーゼル燃料の製造方法にあっては、エステル転化率は９０％以上、好ましくは９５％以上とすると良い。また、アルキルエステル層の脂肪酸エステルの純度９９％以上である。
一方、グリセリン層にあっては、その収率が９０％以上で得られる。このような範囲にあれば、十分な回収率が達成されることとなる。また、グリセリン層で得られるグリセリンの純度は９９％以上であり、かかる収率及び純度であれば、精製グリセリンとして利用が可能となり、システム全体のコストを低減することができる。
【００３７】
次に、多量に遊離脂肪酸を含む油脂原料、又は上記の留去工程３ａで分離された配送部６の遊離脂肪酸のエステル化反応工程について詳述する。
図４に示すようにエステル反応工程４は、アルコール供給部１８、第１反応部１９、第２反応部２０、及び蒸留部２１とからなる。
エステル反応工程４においては、アルコール供給部１８からメチルアルコール等の低級アルコールを第１反応部１９に流通された遊離脂肪酸と混合し、加圧及び加熱して、添加アルコールの超臨界状態で且つ水が液体である亜臨界水状態として第１反応部１９でエステル化反応を行う。また、後段の第２反応部２０ではそのアルコールの超臨界状態で、且つ水がドライスチーム状態となる条件で反応させる。そして、更に後段の蒸留部２１においては、反応液からアルコールを除去し、蒸留すると共に、燃料精製部５で該蒸留液を遠心分離して比重分離操作によって高比重物質を除去する。尚、蒸留におけるグリセリド残渣は、燃料精製部５（又は図示しないがエステル化反応工程４からでも良い。）からの配送部７を介して油脂原料として再使用される。
【００３８】
アルコール供給部１８は、反応させるべきアルコールを前もって加熱及び加圧する装置である。ここで、反応させるべきアルコールは炭素数が１〜５の範囲にある低級アルコールであることが望ましく、例えば、メチルアルコール、エチルアルコール、プロピルアルコール等であり、特に、バイオディーゼル燃料用に使用するための脂肪酸アルキルエステル組成物にあってはメチルアルコールが好ましい。また、供給部１８における温度及び圧力は加えるアルコールの種類にもよるが好ましくは、温度が２４０℃〜３００℃の範囲で、圧力が４ＭＰａ〜４０ＭＰａの範囲、特に温度が２７０〜２９０℃の範囲で、圧力が１０〜２２ＭＰａの範囲であることが好ましい。
【００３９】
上記第１反応部１９及び第２反応部２０は主に流通式反応管の態様が選択され、第１反応部では、上記遊離脂肪酸を温度２４０℃〜３００℃の範囲、及び８ＭＰａ〜４０ＭＰａの範囲、特に温度が２４０〜２７０℃の範囲で、圧力が１５〜２２ＭＰａの範囲にまで昇温し、昇圧する。アルコール供給部１８で昇温、昇圧したアルコールを流通式反応管内に流入して混合させ、所定の反応時間をかけて流通管内を同条件で流通する。この場合、アルコールは超臨界状態であり、水分は亜臨界状態の領域での反応条件となる。
【００４０】
第１反応部１９と第２反応部２０は直結しており、この場合、第１反応部１９から第２反応部２０にかけて管径を大径にすることが好ましい。管径を大径にすることによって、反応部１９からの反応液を定温膨張させて降圧して、所定の反応時間をかけて流通管内を同一条件で流通させることができる。これにより、アルコールは超臨界状態にあり、且つ水分にあってはドライスチーム状態の領域での反応となる。
このように反応させた後、蒸留部２１では、反応終了後の反応液から過剰のアルコールを除去し、更に反応生成物を蒸留することが望ましい。そして、燃料精製部５にあっては、遠心分離処理を行い精製することが望ましい。また、上述した残存する未反応物のグリセリド残渣は配送部７を介して油脂原料としてエステル交換反応工程で再使用する。脂肪酸アルキルエステルは、その後、最終的に上述したようなフィルター処理を行うことができる。
【００４１】
このようにして得られる脂肪酸アルキルエステルにあっては、その純度が９８質量％以上、好ましくは９９質量％以上であることが好ましい。かかる純度を満たさない場合は、遊離脂肪酸の酸価が０．６を上回り、バイオディーゼル燃料としての規格を満たすことができなくなる。また、出発物質にもよるが、かかる組成物にあっては、その脂肪酸の炭素数は１２〜２２の範囲にある。
【００４２】
このような製造方法からバイオディーゼル燃料とすることにより、あらゆる酸価状態にある油脂原料から高効率に脂肪酸アルキルエステル、即ち、製品となる脂肪酸アルキルエステル中に大量の水、臭気物質、遊離脂肪酸、及びその他の不純物が残存することなく、製品としての品質低下を招くことのないバイオディーゼル燃料を得ることができ、またその製造工程システム自体は環境に優しいものとなる。
【実施例】
【００４３】
以下、本発明に係るバイオディーゼル燃料の製造方法を実施例にて説明する。
図１に示した構成の製造プロセス図に従って、かかる遊離脂肪酸を含んだ酸性油脂類からのバイオディーゼル燃料の製造方法を実施例で説明する。
（実施例）
油脂原料はイエローグリース（酸価１８：遊離脂肪酸９質量％、ヨウ素化６８、引火点２３８℃、水分１０質量％、灰分３．５質量％）を原料油１とし、パーム油の精製の際に生じる副生成物である遊離脂肪酸を原料油２として用いた。（遊離脂肪酸８０質量％、モノ、ジ、トリグリセライド１０質量％、水分５質量％、その他不純物５質量％、ヨウ素価５０）
【００４４】
（実施例１）
以下の原料を使用し、エステル交換反応工程を選択する場合の製造方法の実施例を示す。
原料油１を、プロセス選択部によってエステル交換反応工程部へ導入した。反応工程部
に設けられた原料油一次貯蔵タンクにメッシュ１２０のフィルターを通して流し込み、４時間静置した。ドレインを除去後、上澄み液を熱交換器によって９５℃まで加熱しこれを遠心分離器（遠心力１０００Ｇ：流量１５リットル毎分）に通した（前処理工程）。
【００４５】
処理後の原料油を多管式熱交換器に通過させ１４５℃まで加熱した。この原料油を真空脱酸塔に投入した。真空塔の絶対圧力０．８ｍｍＨｇ、滞留時間１５分であった（留去工程）。
図２に示すように、この原料油を熱交換器によって６５℃にまで冷却し反応に用いた。触媒として水酸化カリウムを用い、前もって触媒をメチルアルコール（純度９９．５質量％）１００重量部に対し１１重量部の割合で溶解させた後に、得られた溶液を原料油と混合し、１５分間反応させた。反応後反応容器内の絶対圧力を１００ｍｍＨｇとし６５℃で約２０分間攪拌した。
【００４６】
得られた生成物を遠心分離器（遠心力１０００Ｇ：流量１５リットル毎分）に通しアルキルエステル層（軽液）とグリセリン層（重液）とに分離した。アルキルエステル層を活性白土（アルキルエステル１００重量部に対し１重量部の割合）を充填したカラムを１５リットル毎分の流速で通過させた。通過後のアルキルエステル層を再び遠心分離器（遠心力１０００Ｇ：流速１５リットル毎分）にかけ固形物分離を行った。このアルキルエステルを最終的に１ミクロンのフィルターによって濾過して最終精製物を得た。最終生成物の収率は、グリセリド誘導体ベースで９９．５質量％であった。これをサンプリングし性状分析を行った（実施例１−１サンプルとする。）。また真空脱酸塔から得られた遊離脂肪酸回収率は、９７質量％であった。
【００４７】
収率、実質収率、純度、及び酸価について測定を行い、下記表１に示した。
脂肪酸アルキルエステルの性状分析はガスクロマトグラフによる成分分析の他はＪＩＳ規格に定められた方法または通常の方法によって行った。収率は、原料油中の脂肪酸グリセリドに対する脂肪酸アルキルエステルの収量を示している。実際には、「収率＝脂肪酸アルキルエステル量／反応に使用した原料油中の脂肪酸グリセリド量」で定義される（実質収率）。また臭気物質濃度はガスクロマトグラフにおいてアルコール以外の脂肪酸アルキルエステル類保持時間未満のピーク面積から求めた。この数値は純度で表される。酸価は１ｇのサンプルを中和するのに必要な水酸化カリウムのｍｇで表した。
【００４８】
次ぎに、ここで副生した遊離脂肪酸を原料油２にプロセス選択部を経由して加えて原料油とした（遊離脂肪酸量８３％、モノ、ジ、トリグリセライド量７％、水分量５％、その他不純物量５％、ヨウ素価５０）。この原料油を、アルコール：脂肪酸＝２０モル：１モルの割合で反応させた。反応管は直径５０ｍｍ長さ５０００ｍｍを第一反応管（Ｎｏ１）直径６２．５ｍｍ長さ５０００ｍｍを第２反応管（Ｎｏ２）とした。それぞれの反応管の出口に圧力流量コントロールバルブを設け、圧力、流量、反応時間を調節した。反応条件は、反応温度２７０℃、反応圧力及び時間はそれぞれ、Ｎｏ１：１９Ｍｐａ；１０分間、Ｎｏ２：１１Ｍｐａ；１０分間、で行った。得られた反応混合物から過剰のメタノールを留去し、その後、減圧蒸留（０．８ｍｍＨｇ，〜２００℃）、遠心分離処理をして最終生成物を得た。収率は遊離脂肪酸ベースで９９．０質量％であった。これをサンプリング試料とした（実施例１−２サンプルとする。）。結果については表１に示した。
またグリセライド残査の計量によって、その回収率は９５質量％であった。ここで得られたグリセリド残査を、プロセス選択部を経由してエステル交換反応工程に配送し、上述のエステル交換反応を行ったところ、収率は９９．５質量％であった。
【００４９】
以上の実施により本プロセス全体において、脂肪酸部位からの実質収率は９８．９質量％である。
【００５０】
（比較例）
図１に示した構成からなる製造装置の内のエステル交換反応工程を用いて行った。原料油はイエローグリース（酸価１８：遊離脂肪酸９質量％、ヨウ素化６８、引火点２３８℃、水分１０質量％、灰分３．５質量％）であった。
原料油を、反応工程部に設けられた原料油の一次貯蔵タンクにメッシュ１２０のフィルターを通して流し込み、４時間静置した。ドレインを除去後、上澄み液を熱交換器によって９５℃まで加熱しこれを遠心分離器（遠心力１０００Ｇ：流量１５リットル毎分）に通した（前処理工程）。
【００５１】
通過後の原料油を多管式熱交換器に通過させ１４５℃まで加熱した。この原料油を真空脱酸塔に投入した。真空塔の絶対圧力０．８ｍｍＨｇ、滞留時間１５分であった。この原料油を熱交換器によって６５℃にまで冷却し反応に用いた（留去工程）。
触媒として水酸化カリウムを用い、前もって触媒をメチルアルコール（純度９９．５％）１００重量部に対し１１重量部の割合で溶解させた後に、得られた溶液を原料油と混合し、１５分間反応させた。反応後反応容器内の絶対圧力を１００ｍｍＨｇとし６５℃で約２０分間攪拌した（エステル交換反応工程）。
得られた生成物を遠心分離器（遠心力１０００Ｇ：流量１５リットル毎分）に通しアルキルエステル層（軽液）とグリセリン層（重液）とに分離した。アルキルエステル層を活性白土（アルキルエステル１００重量部に対し１重量部の割合）を充填したカラムを１５リットル毎分の流速で通過させた。通過後のアルキルエステル層を再び遠心分離器（遠心力１０００Ｇ：流速１５リットル毎分）にかけ固形物分離を行った。この脂肪酸アルキルエステルを最終的に１ミクロンのフィルターによって濾過して最終精製物を得た。
最終生成物の収率は、グリセリド誘導体ベースで９９．５質量％であった。これをサンプリングし性状分析を行った（比較例１−１）。また真空脱酸塔から得られた遊離脂肪酸は、廃棄した。結果を表１に示した。
【００５２】
次ぎに、実施例１と同様の製造装置の内エステル化反応工程部を用いて行った。原料油
としてパーム油の精製の際に生じる副生成物である遊離脂肪酸を用いた（遊離脂肪酸
８０質量％、モノ、ジ、トリグリセライド１０質量％、水分５質量％、その他不純物５質量％、ヨウ素価５０）。この原料油を、アルコール：脂肪酸＝２０モル：１モルの割合で反応させた。反応管は直径５０ｍｍ長さ５０００ｍｍを第一反応管（Ｎｏｌ）直径６２．５ｍｍ長さ５０００ｍｍを第２反応管（Ｎｏ２）とした。それぞれの反応管の出口に圧力、流量コントロールバルブを設け、圧力、流量、反応時間を調節した。反応条件は、反応温度２７０℃、反応圧力及び時間はそれぞれ、Ｎｏ１：１９Ｍｐａ；１０分間、Ｎｏ２：１１Ｍｐａ；１０分間、で行った。得られた反応混合物から過剰のメタノールを留去し、その後、減圧蒸留（０．８ｍｍＨｇ、２００℃）、遠心分離処理をして最終生成物を得た。収率は遊離脂肪酸ベースで９９．０質量％であった。これをサンプリング試料とした（比較例２−２）。結果については表１に示した。またグリセライド残査は廃棄した。
【００５３】
以上の実施により本プロセス全体において、脂肪酸部位からの実質収率は８９．０質量％である。
【００５４】
【表１】
2005350632.tif 000003
【００５５】
次ぎに、図１におけるエステル交換反応工程に適用できる中和工程を採用した、副生成物の精製グリセリンを得る方法についての実施例を示す。
（実施例２）
原料油は実施例１と同様な前段の処理、または酸価が３以下の食品工場からの廃食油を使用して以下のエステル交換反応工程を図３に基づいておこなった。
原料油１０００ｋｇに対して触媒として水酸化カリウム１３ｋｇを前もってメチルアルコール（純度９９．５質量％）１２２ｋｇで溶解したものと混合した。反応混合処理部において温度６５℃、１５分間反応させた。
【００５６】
水６．４ｋｇで希釈した濃硫酸１２ｋｇを上記反応混合物に５０℃以上にならないように攪拌しながら滴下した。その後５０リットルのメチルアルコールで希釈した。反応混合液を約１時間静置して、硫酸カリウム水和物の結晶析出を確認した。反応槽の下部に取り付けたガラスフィルターを通じて、溶液を吸引濾過し、濾液を蒸留塔に移送した。蒸留塔を１００ｍｍＨｇまで減圧し、温度５０℃〜１００℃までの留分を初留とした。その後減圧度を１０ｍｍＨｇまでとし、温度１００℃〜２２０℃までの留分を本留とした。本留を遠心分離器（遠心力１０００Ｇ：流量１５リットル毎分）に通しアルキルエステル層（軽液）とグリセリン層（重液）とに分離した。これをそれぞれサンプリングし性状分析を行った。
【００５７】
上記アルキルエステル層、及びグリセリン層の性状分析はガスクロマトグラフによった。その結果を表２及び３に示した。尚、転化率は、上述の測定方法と同様であり、またグリセリンの収率については、反応に使用した原料油量をもとに脂肪酸がステアリン酸と仮定してグリセリン原料量を計算し、これに対する精製グリセリンの量を示している。
【００５８】
（実施例３）
上記した実施例２と同様の条件で行った。ただし加える水の量を硫酸カリウムに対して１０モル当量とした。結果を下記表２及び３に示した。
（実施例４）
上記した実施例２と同様の条件で行った。ただし加えるメチルアルコール量を１００リットルとした。結果を下記表２及び３に示した。
【００５９】
（参考比較例１）
上記した実施例２と同様の条件でおこなった。ただし、中和時に水を加えなかった。結果を下記表２及び３に示した。尚、ここで、参考比較例とは、前段で適宜な処理を実施したものであるが、後段のアルカリ触媒法で適切な実施をしなかった例を示すものである。
（実施例５）
上記した実施例２と同様の条件で行った。ただしメチルアルコールを加えなかった。結果を下記表２及び３に示した。
【００６０】
（参考比較例２）
上記した実施例５と同様の条件で行った。但し、反応混合液から過剰なアルコール等の減圧留去処理１０をせずに、遠心分離機によってメチルエステル層とグリセリン層とに分離し、このグリセリン層に硫酸１２ｋｇを水６．４ｋｇに希釈して加え中和し、さらにメチルアルコール１０リットルを加えて粘度を調節した。これをガラスフィルターで濾過し、濾液を実施例５の条件で蒸留して精製グリセリンを得た。結果を下記表２及び３に示した。メチルエステルは蒸留していない。
以上の結果から、軽液と重液とを分離した後に、軽液部分を中和した場合、副生成物であるグリセリンの収率が他の実施例より、若干悪くなることが見られる。また、かかる段階で、比重分離操作を行うと、グリセリン層にメチルエステルが溶解しているため、転化率が悪くなるものと見られる。
【００６１】
（参考比較例３）
参考比較例２と同様に行った。ただし中和操作をまったく行わずに蒸留した。結果を表２及び３に示した。メチルエステルは蒸留していない。
【００６２】
【表２】
2005350632.tif 000004
【００６３】
【表３】
2005350632.tif 000005
【００６４】
以上のことから、表１に示すように、遊離脂肪酸類を所定量含んだ原料油からのディーゼル燃料の製造方法によると、遊離脂肪酸類が本質的にあるいは製造工程上生じやすい植物油類、回収システム上加水分解を受けやすいイエローグリース類ならびに劣化の進んだ廃食油類など、これまで利用が困難であったり、殆ど利用されていない原料油脂類から高効率でアルキルエステル化が行え、これらはディーゼル車やその他ディーゼル機関の燃料として用いることが出来る。
【００６５】
また、表２及び表３に示すように、エステル交換反応における所定の条件での中和法による精製処理では、全体のバイオディーゼル燃料製造コストを上げることなく、これまで高純度での回収が困難であった副産物的なグリセリンを高効率にかつ高純度で回収可能である。このことによって、これまで廃棄されてきたようなグリセリン廃液も容易に有効活用が可能となることで、二次汚染のような環境負荷を低減できる。
【産業上の利用可能性】
【００６６】
本発明のバイオディーゼル燃料の製造方法は、遊離脂肪酸酸が含まれる原料油から効率的に遊離脂肪酸を除き、後続工程であるアルキル触媒法に移行させることができ、複雑な工程を必要としない遊離脂肪酸油脂類及び劣化油脂類等からなる原料油のバイオディーゼル燃料の製造方法に係るものであり、またアルカリ触媒法による低級アルコールでエステル交換反応により原料油から脂肪酸エステルを生成する工程において、副生成物であるグリセリン及びグリセリン誘導体を高収率及び高純度で、その工程の流れの中で精製してその有効利用を可能とすることにより総製造コストを低減するので、その製造方法として極めて産業上利用可能性が高い。
【図面の簡単な説明】
【００６７】
【図１】図１は本発明を実施する形態の一例であって、処理の流れを示す製造プロセス図である。
【図２】図１におけるエステル交換反応工程の詳細に実施するための処理の流れを示す製造プロセス図である。
【図３】図３におけるエステル交換反応工程の詳細に実施するための処理の流れを示す製造プロセス図である。
【図４】図４におけるエステル化反応工程の詳細に実施するための処理の流れを示す製造プロセス図である。
【図１】
2005350632.tif 000006
【図２】
2005350632.tif 000007
【図３】
2005350632.tif 000008
【図４】
2005350632.tif 000009